(57)【要約】【課題】落下衝撃に強いディスクトレイの係合ピンを備えた記録再生装置を提供する。【解決手段】ディスクトレイ５と、ディスクトレイ５を内外に亘って移動自在に支持する装置本体７と、ディスクトレイ５を装置本体７外へ付勢する付勢部材２８と、装置本体７の開口部３１より該装置本体７の側壁９ｃ近傍に立設されディスクトレイ５と係合することによりディスクトレイ５を装置本体７内に係合保持する係合ピン１１と、ディスクトレイ５に設けられ、係合ピン１１と係合する係合片４２とを有し、ディスクトレイ５を装置本体７内に保持する保持機構１８とを備え、係合ピン１１は、開口部３１内の凹部３３に突き当てられるフランジ部３４が設けられ開口部３１内に挿通されるピン本体３５と、ピン本体３５より装置本体７内へ突出し係合片４２に係合される係合凸部３６とからなり、係合凸部３６は、ピン本体３５に対して装置本体７の側壁９ｃ側に偏倚している。【選択図】図８
2007188581.tif 000002
【特許請求の範囲】
【請求項１】
記録媒体が載置されるディスクトレイと、
上記ディスクトレイを内外に亘って移動自在に支持する装置本体と、
上記ディスクトレイを上記装置本体外へ付勢する付勢部材と、上記装置本体の開口部より該装置本体の側壁近傍に立設され上記ディスクトレイと係合することにより該ディスクトレイを装置本体内に係合保持する係合ピンと、上記ディスクトレイに設けられ、上記ディスクトレイが上記付勢部材の付勢力に対抗して上記装置本体内に挿入されることにより、上記係合ピンと係合する係合片とを有し、上記ディスクトレイを上記装置本体内に保持するディスクトレイ保持機構とを備え、
上記係合ピンは、上記開口部の内周に形成された凹部に突き当てられるフランジ部が設けられ上記開口部内に挿通されるピン本体と、上記ピン本体より上記装置本体内へ突出し上記係合片に係合される係合凸部とからなり、
該係合凸部は、上記ピン本体に対して上記装置本体の側壁側に偏倚していることを特徴とする記録及び／又は再生装置。
【請求項２】
上記凹部及び上記フランジ部は、上記係合片に係合された係合ピンが、上記装置本体の落下時における衝撃への耐性を十分備える接触面積を有することを特徴とする請求項１記載の記録及び／又は再生装置。
【請求項３】
上記ピン本体及び上記開口部は略円形に形成され、円柱状の上記係合凸部が上記ピン本体に対して上記装置本体の側壁側に偏倚していることを特徴とする請求項１記載の記録及び／又は再生装置。
【請求項４】
上記ピン本体及び上記開口部は上記装置本体の側壁側が切り欠かれた略Ｄ字状に形成され、上記係合凸部が上記ピン本体の切欠き面側に偏倚して形成されていることを特徴とする請求項１記載の記録及び／又は再生装置。
【請求項５】
上記ディスクトレイ保持機構は、
上記係合片と接触し、該係合片の回動範囲を規制することにより該係合片を上記係合凸部と係合させ又は上記係合凸部との係合を解除させる回動片と、
上記回動片と係合すると共に磁気コイル内に挿通され、上記回動片を回動させるプランジャーと、
上記係合凸部に押圧されることにより上記回動片と接触され、上記係合片が上記係合凸部に係合する方向に上記回動片を押圧する押圧片とを有し、
上記ディスクトレイが上記付勢部材の付勢力に対抗して上記装置本体内に挿入されることにより、上記係合凸部が上記押圧片を押圧し、上記押圧片と接触した上記回動片が上記係合片を上記係合凸部と係合する方向に回動されて、上記係合片と係合凸部とが係合することにより上記ディスクトレイを上記装置本体内に保持し、また、上記プランジャーが上記回動片を回動させることにより上記係合片を上記係合凸部との係合を解除する方向に付勢し、上記付勢部材の付勢力により上記ディスクトレイを上記装置本体外へ排出することを特徴とする請求項１記載の記録及び／又は再生装置。
【発明の詳細な説明】
【技術分野】
【０００１】
本発明は、ディスク状記録媒体に対する情報信号の記録及び／又は再生装置に関し、特にディスク状記録媒体を保持するディスクトレイと装置本体との係合機構に関する。
【背景技術】
【０００２】
従来より、ノート型パソコン等の携帯用電子機器においても高機能化が進み、ＣＤ−Ｒ／ＲＷやＤＶＤ−Ｒ／ＲＷのドライブが搭載されている。そして、これらの各ドライブは、読み込み速度又は書き込み速度の向上やＤＶＤの再書き込み機能等の付加が求められるようになっている。
【０００３】
また、ノート型パソコンは、携帯して持ち歩くに際してＡ４サイズよりもＢ５サイズが実用的であることから、高機能化と共に薄型化や軽量化が進み、搭載されるＣＤ−Ｒ／ＲＷやＤＶＤ−Ｒ／ＲＷのドライブユニットもできるだけ薄く形成されることが求められている。
【０００４】
ところで、ＣＤ−Ｒ／ＲＷやＤＶＤ−Ｒ／ＲＷの記録又は再生を行うドライブユニットにおいては、図１３に示すものがある。この種のドライブユニット３００は、装置本体３０１と、装置本体３０１の内外に亘って移動可能に形成され、内部にＤＶＤ等の光ディスク３０２が載置されるディスクトレイ３０３と、ディスクトレイ３０３の裏面側より収納され、載置された光ディスク３０２に対して情報信号の再生を行う光ピックアップユニット３０４とを有する。
【０００５】
光ピックアップユニット３０４は、ディスクテーブル３１３が組み付けられた鉄製のベースシャーシ３１５と、対物レンズ３１２を備えたピックアップベース３１７とを有する。
【０００６】
この光ピックアップユニット３０４は、光ディスク３０２の載置面側にカバー部材３２０がビス等によって取り付けられている。カバー部材３２０は、開口部３２１が設けられ、この開口部３２１より光ピックアップユニット３０４に設けられた対物レンズ３１２やディスクテーブル３１３が臨まされている。なお、光ピックアップユニット３０４は、下面側に金属製の底板３２２が設けられ、この底板３２２がディスクトレイ３０３の裏面に形成された収納部にビス止めされることにより、底板３２２とディスクトレイ３０３とによって狭持される。
【０００７】
ディスクトレイ３０３は、略矩形状のトレイ本体３０５の主面部３０５ａに光ディスク３０２が載置される収納凹部３１０が形成され、トレイ本体３０５の裏面部に光ピックアップユニット３０４が収納される収納部３２５が形成されている。この収納部３２５には、カバー部材３２０が取り付けられた光ピックアップユニット３０４が収納される。また、収納凹部３１０には開口部３１１が形成され、この開口部３１１よりカバー部材３２０が臨まされている。これにより、カバー部材３２０は、収納凹部３１０の一部を構成する。また、カバー部材３２０の開口部３２１からは光ピックアップユニット３０４に設けられた対物レンズ３１２や光ディスク３０２を回転可能に保持するディスクテーブル３１３が臨まされている。
【０００８】
図１４に示すように、ディスクトレイ３０３の裏面に形成された光ピックアップユニット３０４の収納部３２５には、ディスクトレイ３０３を装置本体３０１内に保持する保持機構３３０が形成されている。保持機構３３０は、ディスクトレイ３０３を装置本体３０１外へ付勢する付勢機構３３１と、装置本体３０１の下ハーフに突設された係合ピン３２６と係合されることでディスクトレイ３０３と装置本体３０１とを係合させる係合機構３３２とを有する。
【０００９】
付勢機構３３１は、装置本体３０１の背面壁３０１ａに突き当てられることでディスクトレイ３０３を装置本体３０１外へ押し出す押出し部材３３５と、押出し部材３３５に背面壁３０１ａ側への付勢力を付与するコイルバネ３３６とを有する。
【００１０】
押出し部材３３５は、略棒状に形成され、長手方向の略中間部にフランジ部３３５ａが形成されている。また押出し部材３３５は、ディスクトレイ３０３に形成された収納部３３８に配設されている。収納部３３８は、ディスクトレイの一側面近傍に、ディスクトレイ３０３の挿脱方向に沿って形成されている。この収納部３３８は、ディスクトレイ３０３の背面部３０３ａに貫通孔３３８ａが形成され、略中間部に押出し部材３３５のフランジ部３３５ａが係止される係止段部３３８ｂが形成されている。また、収納部３３８は、係止段部３３８ｂからさらにディスクトレイ５の前面部３０３ｂ側に後述するコイルバネ３３６の一端部が係止される係止壁３３９が形成されている。係止壁３３９は押出し部材３３５の挿通孔が形成され、さらに前面部３０３ｂ側には押出し部材３３５の挿通部３４０が形成されている。
【００１１】
コイルバネ３３６は、収納部３３８の係止段部３３８ｂと係止壁３３９間に配設されている。またコイルバネ３３６は、中空部に押出し部材３３５が挿通され、一端を押出し部材３３５のフランジ部３３５ａに係止されると共に、他端を係止壁３３９に係止されている。
【００１２】
このような付勢機構３３１は、コイルバネ３３６が押出し部材３３５のフランジ部３３５ａを背面部３０３ａ側に付勢することにより、図１４に示すように、押出し部材３３５を背面部３０３ａより突き出している。このとき、押出し部材３３５のフランジ部３３５ａは、収納部３３８の係止段部３３８ｂに係止される。
【００１３】
この後、ディスクトレイ３０３が装置本体３０１内に収納されると、ディスクトレイ３０３から突き出されている押出し部材３３５は、装置本体３０１の背面壁３０１ａに突き当てられ、コイルバネ３３６の付勢力に対抗してディスクトレイ３０３の前面部３０３ｂ側に押し戻される。これにより、コイルバネ３３６は、押出し部材３３５のフランジ部３３５ａに押圧され、前面部３０３ｂ側へ圧縮される。そして、ディスクトレイ３０３が後述する係合機構３３２によって装置本体３０１と係合されると、図１５に示すように、コイルバネ３３６は押出し部材３３５を背面部３０３ａ側へ付勢する付勢力を保持した状態とされる。なお、このとき、押出し部材３３５は、係止壁３３９に形成された挿通孔を挿通し、挿通部３４０へ通されている。
【００１４】
この後、係合機構３３２によりディスクトレイ３０３と装置本体３０１との係合が解除されると、コイルバネ３３６は、押出し部材３３５のフランジ部３３５ａを背面部３０３ａ側に付勢する。押出し部材３３５は、貫通孔３３８ａを貫通してディスクトレイ３０３の背面部３０３ａより突き出され、装置本体３０１の背面壁３０１ａに突き当てられる。そしてコイルバネ３３６は、さらに押出し部材３３５を付勢すると、装置本体３０１の背面壁３０１ａに突き当てられた押出し部材３３５のフランジ部３３５ａよりディスクトレイ３０３の前面部３０３ｂ側へ伸長していく。従って、コイルバネ３３６は、係止壁３３９を前面部３０３ｂ側へ付勢していくことによりディスクトレイ３０３を装置本体３０１外へ排出させる。
【００１５】
次いで、ディスクトレイ３０３が装置本体３０１内に挿入されたときに、ディスクトレイと装置本体３０１とを係合する係合機構３３２について説明する。
【００１６】
係合機構３３２は、図１６に示すように、上記装置本体３０１に設けられディスクトレイ３０３と係合することにより該ディスクトレイ３０３を装置本体３０１内に係合保持する係合ピン３２６と、ディスクトレイ３０３に設けられ係合ピン３２６を係合する方向に回動付勢された係合片３４１とを有する。
【００１７】
係合ピン３２６は、図１３に示すように、装置本体３０１の下ハーフの一側面部近傍に突設されている。係合ピン３２６は、略円柱状に形成され、ディスクトレイ３０３が装置本体３０１内に挿入されることにより、ディスクトレイ３０３側に形成された係合片３４１と係合し、ディスクトレイ３０３を装置本体３０１内に保持する。
【００１８】
この係合ピン３２６を係合する係合片３４１は、図１６に示すように、鉤状に形成され係合ピン３２６を係合する係合部３４２と、先端部に係合部３４２が形成された胴体部３４３と、胴体部３４３の基端側に設けられ、係合片３４１の回動支点となる支柱部３４４と、後述する排出釦３４５と接触され係合片３４１を回動操作する操作部３４６とを有する。この係合片３４１は、支柱部３４４を支点に図１６中矢印Ｄ方向又は反矢印Ｄ方向に回動可能に形成されると共に、この支柱部３４４に捻りコイルバネ３４７が巻回されることにより、常時図１６中矢印Ｄ方向に回動付勢されている。係合片３４１は、図１６中矢印Ｄ方向に回動されることにより、装置本体３０１に突設された係合ピン３２６の移動軌跡上に係合部３４２が位置される。
【００１９】
なお、操作部３４６と接触する排出釦３４５は、装置本体３０１の前面部３０１ｂ側に形成される図示しない操作パネル等に設けられ、ディスクトレイ３０３を引き出す際にユーザに操作されることによって操作部３４６を押圧し、係合片３４１を図１６中反矢印Ｄ方向に回動させる。
【００２０】
係合片３４１は、胴体部３４３の先端側から係合ピン３２６の進行方向に向かって矢印Ｄ方向に膨出する傾斜面３４３ａが形成され、この傾斜面３４３ａの膨出端に鉤状の係合部３４２が形成されている。また、係合片３４１は、支柱部３４４を介して傾斜面３４３ａと反対側に操作部３４６が形成され、操作部３４６が排出釦３４５に押圧されることにより図１６中反矢印Ｄ方向へ回動される。そして、係合部３４２は、矢印Ｄ方向に回動されることにより、係合ピン３２６を係合し、ディスクトレイ３０３を装置本体３０１内に保持し、反矢印Ｄ方向に回動されることにより係合ピン３２６の係合を解除し、上述したコイルバネ３３６及び押出し部材３３５によってディスクトレイ３０３を装置本体３０１より排出可能とする。
【００２１】
具体的に、ディスクトレイ３０３が装置本体３０１内に挿入されていくと、装置本体３０１の下ハーフに突設された係合ピン３２６が図１６中矢印Ｈ方向に進み、傾斜面３４３ａに突き当てられ、係合片３４１を反矢印Ｄ方向に回動させる。そして、係合ピン３２６が傾斜面３４３ａの先端部を越えると、係合片３４１は、捻りコイルバネ３４７の付勢力によって矢印Ｄ方向に回動され、係合部３４２が再び係合ピン３２６の移動軌跡上に位置される。これにより係合片３４１は、係合部３４２に係合ピン３２６が係合され、ディスクトレイ３０３と装置本体３０１とが係合される。なおこのとき、係合片３４１は、ディスクトレイ３０３に設けられた付勢機構３３１により、係合部３４２が係合ピン３２６に対して付勢力をかけた状態となる。
【００２２】
ディスクトレイ３０３を装置本体３０１外へ排出させるときは、操作部３４６を押圧する排出釦３４５を操作する。この排出釦３４５により操作部３４６が押圧されると、係合片３４１は、図１６中反矢印Ｄ方向に回動される。係合片３４１が反矢印Ｄ方向に回動されると、係合部３４２は、係合ピン３２６の移動軌跡上より退避され、係合ピン３２６との係合が解除される。これによりディスクトレイ３０３と装置本体３０１との係合が解除され、ディスクトレイ３０３は、上述した付勢機構３３１によって装置本体３０１外へ押し出される。
【００２３】
【特許文献１】特開２００４−２３４８００号公報
【発明の開示】
【発明が解決しようとする課題】
【００２４】
ところで、かかるドライブユニット３００は、組立後、製造工場から出荷される際や、ノート型パソコン等に搭載されて出荷される際といった流通過程においては、ディスクトレイ３０３が装置本体３０１内に挿入され、係合片３４１によって係合ピン３２６が係合され、ディスクトレイ３０３の排出が規制された状態で搬送される。このとき、ドライブユニットやノート型パソコンが誤って落下する事故が起きた場合、通常は梱包材によって落下衝撃が緩和され、故障等の不具合は回避されるが、衝撃方向によっては、係合ピン３２６に過剰な負荷が加わり、係合ピン３２６の基端部が装置本体３０１から剥離し傾く事態が生じうる。
【００２５】
具体的に、係合ピン３２６は、図１７に示すように、装置本体３０１の下ハーフに穿設された円形の開口部３５０に挿通、支持されている。この開口部３５０は、内周面に亘って段差部３５１が設けられている。そして係合ピン３２６は、下ハーフの裏面側から挿通されることにより、この段差部３５１に係止されるフランジ部３５２と、このフランジ部３５２が基端部に形成され開口部３５０に挿通されるピン本体３５３と、ピン本体３５３の上面部より突設されることにより下ハーフの表面上に突出され係合片３４１に係合される係合凸部３５４とからなる。
【００２６】
そして、ドライブユニット３００やノート型パソコンの落下事故が発生し、ディスクトレイ３０３の搬送方向に衝撃が加わると、係合片３４１の係合部３４２を介して係合ピン３２６に衝撃が伝わる。これにより係合ピン３２６は、図１８及び図１９に示すように、係合凸部３５４に傾きが生ずると共に、フランジ部３５２が開口部３５０の段差部３５１より剥離し、下ハーフの裏面から隆起してしまうことがある。
【００２７】
ここで、かかる係合凸部３５４の傾きやフランジ部３５２の剥離等を防止するため、開口部３５０の径を大きくすると共に、円盤状に形成されたフランジ部３５２の径を大きくする方策が考えられる。
【００２８】
しかし、ドライブユニット３００やノート型パソコンの小型化の要請から、ディスクトレイ３０３における係合機構３３２の配置場所にも制約があるため、係合ピン３２６は下ハーフの側壁近傍に設ける必要がある。したがって、下ハーフに穿設される開口部３５０や係合ピン３２６のフランジ部３５２の径を大きくすることにも、側壁との距離との関係で一定の限界があった。すなわち、あまりに側壁に近接する位置まで開口部を設けてしまうと却って下ハーフの剛性を損ない、係合ピンを強固に保持することができなくなってしまう。
【００２９】
そこで、本発明は、上述した課題に鑑み、落下衝撃に強い係合ピンを備えた記録及び／又は再生装置を提供することを目的とする。
【課題を解決するための手段】
【００３０】
上述した課題を解決するために、本発明に係る記録及び／又は再生装置は、記録媒体が載置されるディスクトレイと、上記ディスクトレイを内外に亘って移動自在に支持する装置本体と、上記ディスクトレイを上記装置本体外へ付勢する付勢部材と、上記装置本体の開口部より該装置本体の側壁近傍に立設され上記ディスクトレイと係合することにより該ディスクトレイを装置本体内に係合保持する係合ピンと、上記ディスクトレイに設けられ、上記ディスクトレイが上記付勢部材の付勢力に対抗して上記装置本体内に挿入されることにより、上記係合ピンと係合する係合片とを有し、上記ディスクトレイを上記装置本体内に保持するディスクトレイ保持機構とを備え、上記係合ピンは、上記開口部の内周に形成された凹部に突き当てられるフランジ部が設けられ上記開口部内に挿通されるピン本体と、上記ピン本体より上記装置本体内へ突出し上記係合片に係合される係合凸部とからなり、該係合凸部は、上記ピン本体に対して上記装置本体の側壁側に偏倚していることを特徴とするものである。
【発明の効果】
【００３１】
本発明に係る記録及び／又は再生装置によれば、係合ピンと装置本体の側壁との距離を保ちつつ凹部及びフランジ部の径を広げて落下衝撃への耐性を向上させ、かつ配置上の制約を受ける係合片に対応した位置に係合凸部を突出させることができる。
【発明を実施するための最良の形態】
【００３２】
以下、本発明が適用された記録及び／又は再生装置（以下、「記録再生装置」という。）について、図面を参照しながら詳細に説明する。この記録再生装置１は、ＣＤ（ｃｏｍｐａｃｔ ｄｉｓｋ）、ＤＶＤ（ｄｉｇｉｔａｌ ｖｅｒｓａｔｉｌｅ ｄｉｓｃ）等の光ディスクの記録又は再生用のドライブ装置であり、図１に示すように、ノート型パソコン等のホスト機器２のドライブベイに搭載されるものである。
【００３３】
この記録再生装置１は、図２に示すように、内部にＤＶＤ等の光ディスク４が載置されるディスクトレイ５と、ディスクトレイ５に接続され、載置された光ディスク４に対して情報信号の再生を行う光ピックアップユニット６とを有する。また、この記録再生装置１は、搭載されるホスト機器２の小型化、薄型化に対応して、例えば図３に示すように、装置本体７の高さがハードディスクドライブと同じ略９．５ｍｍに形成されている。この厚さ９．５ｍｍの装置本体７の構成部品が占める寸法は、光ディスク４の高さが１．２ｍｍ、回転する光ディスク４の面の変動域が±０．５ｍｍ、光ピックアップユニット６が接続されたディスクトレイ５の高さ５．２ｍｍ、ディスクトレイ５のディスク載置面と光ディスク４とのクリアランスが０．４ｍｍ、ディスクトレイ５と装置本体７の底面とのクリアランスが０．４ｍｍ、光ディスク４と装置本体７の上面とのクリアランスが０．４ｍｍ、装置本体の外筐体を構成する上下一対のハーフの厚さがそれぞれ０．４ｍｍ、０．５ｍｍとされている。
【００３４】
このような記録再生装置１の装置本体７は、上下一対のハーフ８，９を突き合わせて形成されている。上下ハーフ８，９は、金属板から打ち抜き成形され、穴開け等の加工が施されて形成される。
【００３５】
装置本体７の下ハーフ９には、記録再生装置１の駆動を制御する制御回路やホスト機器２との接続を図る接続コネクタ等が形成された配線基板１７が配設されている。また、下ハーフ９は、ディスクトレイ５が装置本体７外へ引き出される一端側が開放され、この開放端と対向する側に背面壁９ａが形成され、これらを挟んだ両側縁部に側壁９ｂ，９ｃが立ち上がり形成されている。
【００３６】
相対向する側壁９ｂ，９ｃには、ディスクトレイ５の装置本体７からの挿脱をガイドするガイドレール１２が背面壁９ａ側から開放端にかけて形成されている。ガイドレール１２は、断面略コ字状に形成され、コ字状の凹部１２ａを装置本体７側に向けて配設されている。このガイドレール１２は、凹部１２ａにディスクトレイ５に接続されたガイド部材１３が摺動自在に係合されている。また、ガイドレール１２は、ディスクトレイ５が所定の長さ以上に装置本体７より引き出されることを防止するため、ガイド部材１３の摺動領域を規制するストッパー片１４が形成されている。
【００３７】
このガイドレール１２に係合されるガイド部材１３は、断面略コ字状に形成され、ディスクトレイ５の両側面部を摺動可能に狭持する。そして、ガイド部材１３は、ディスクトレイ５が装置本体７から引き出し又は挿入されると、ガイドレール１２を摺動して、ディスクトレイ５の移動がスムーズになるようにガイドする。
【００３８】
また、下ハーフ９は、後述するディスクトレイ５を装置本体５内に保持する保持機構１８に係合される係合ピン１１が立設されている。また下ハーフ９は背面壁９ａ近傍に駆動回路が形成されている配線基板１７が設けられている。配線基板１７は、いわゆるリジット基板であり、配線パターンが形成されると共に、外部機器との接続を図るコネクタ等の各種電子部品が実装されている。また、配線基板１７は、後述する光ピックアップユニット６と接続されたＦＰＣ（ｆｌｅｘｉｂｌｅ  ｐｒｉｎｔｅｄ ｃｉｒｃｕｉｔ）２３が取り付けられている。
【００３９】
この装置本体７より挿脱されるディスクトレイ５は、光ディスク４が収納される収納凹部１５が形成されている。収納凹部１５は、略円形の凹部からなり、主面部にディスクトレイ５に収納された光ピックアップユニット６のディスクテーブル及び対物レンズを光ディスク４側に臨ませる開口部１６が形成されている。開口部１６は、収納凹部１５の略中央部からディスクトレイ５の前面５ａ側にかけて形成されている。そして、開口部１６は、光ピックアップユニット６のベースシャーシ１０１に取り付けられたカバー部材９０と、ベースシャーシ１０１に取り付けられカバー部材９０を介して上方に臨まされたディスクテーブル１０２及び対物レンズ１０８が光ディスク４側に臨まされている。
【００４０】
このディスクトレイ５は、ＰＰＥ（ポリフェニレンエーテル）にガラスを２０％含有させた剛性を有する材料を用いて形成されている。ディスクトレイ５の主面５ｂ側には、光ディスク４が載置される略円形状の凹部からなる収納凹部１５が設けられ、裏面５ｃ側には、図４に示すように、後述する光ピックアップユニット６が収納される収納部２１及びディスクトレイ５を装置本体７内に係合保持する保持機構１８が形成されている。
【００４１】
収納部２１には、光ピックアップユニット６と係合される複数の係合突起２５が突設されている。収納部２１は、係合突起２５が光ピックアップユニット６のベースシャーシ１０１に設けられた複数の係合孔１１１と係合されることにより光ピックアップユニット６と接続される。
【００４２】
このディスクトレイ５は、装置本体７からの挿脱方向に亘って、ガイド部材１３に係合されるガイド突条２２が形成されている。ガイド突条２２は、上述したガイド部材１３に摺動自在に狭持され、装置本体７に対する挿脱がガイドされる。また、ガイド突条２２は、装置本体７側である背面５ｄ側の端部及びディスクトレイ５の引き出し方向である前面５ａ側の端部に、詳細を省略するストッパー片が設けられ、ガイド部材１３からの抜けや、ガイド部材１３の前面５ａ側への突き出しが防止されている。
【００４３】
このディスクトレイ５には、ディスクトレイ５を装置本体７内に保持する保持機構１８が設けられている。保持機構１８は、ディスクトレイ５の裏面５ｃ側の一側縁部近傍に形成され、ディスクトレイ５を装置本体７外へ付勢する付勢機構１９と、ディスクトレイを装置本体７内に係合する係合機構２０とを有する。
【００４４】
先ず、ディスクトレイ５を装置本体７外へ付勢する付勢機構１９について説明する。
【００４５】
この付勢機構１９は、図４に示すように、ディスクトレイ５の裏面５ｃに設けられ、ディスクトレイ５を装置本体７より押し出すコイルバネ２８が用いられる。コイルバネ２８は、一のガイド突条２２近傍にディスクトレイ５の挿脱方向に沿って形成されたバネ収納部２９に収納されている。コイルバネ２８の中空部には棒状の押出し部材３０が挿通されている。この押出し部材３０は、バネ収納部２９の背面５ｄ及び前面５ａ側の収納壁２９ａに穿設された挿通孔２９ｂを挿通可能とされている。また、押出し部材３０は、長手方向の略中腹にフランジ部３０ａが形成されている。押出し部材３０は、フランジ部３０ａの一面がコイルバネ２８の端部に押圧されることにより、背面５ｄ側に付勢され、フランジ部３０ａの他面がバネ収納部２９の背面５ｄ側に形成された段差部２９ｃに係止されている。このとき押出し部材３０は、フランジ部３０ａより背面５ｄ側に延在する部分がバネ収納部２９の収納壁２９ａに穿設された挿通孔２９ｂを挿通して装置本体７側に突き出されている。
【００４６】
押出し部材３０は、ディスクトレイ５が装置本体７側に挿入されると、装置本体７側に突き出された部分が下ハーフ９の背面壁９ａにつき当てられる。さらにディスクトレイ５が挿入されると、図５に示すように、押出し部材３０は、背面壁９ａから押し戻されて前面５ａ側に移動し、フランジ部３０ａによりコイルバネ２８を前面５ａ側に圧縮する。このときコイルバネ２８は、前面５ａ側の端部がバネ収納部２９の収納壁２９ａに係止されているため、フランジ部３０ａに押圧されて圧縮することにより、フランジ部３０ａを背面５ｄ側に付勢する付勢力が保持される。その後、ディスクトレイ５に設けられた後述する係合機構２０によりディスクトレイ５が装置本体７内に係合保持されると、コイルバネ２８は、フランジ部３０ａを背面５ｄ側に付勢する付勢力を保持した状態とされる。
【００４７】
この後、係合機構２０によるディスクトレイ５の係合が解除されると、コイルバネ２８に付勢されている押出し部材３０は、コイルバネ２８の付勢力と同等の反力を背面壁９ａから受けて、フランジ部３０ａによりコイルバネ２８を前面５ａ側に押し戻す。コイルバネ２８は、前面５ａ側端部がコイル収納部２９の収納壁２９ａに係止されているため、この収納壁２９ａを前面５ａ側に押し出しながら伸長していく。これによりディスクトレイ５は、装置本体７の開放端側に押し出され、前面５ａ側が装置本体７の開放端側に突出されて、引き出し可能とされる。なお、押出し部材３０は、フランジ部３０ａがコイルバネ２８に背面５ｄ側へ付勢されることにより、図４に示すように、フランジ部３０ａより背面５ｄ側に延在する部分がバネ収納部２９の収納壁２９ａに穿設された挿通孔２９ｂを挿通して装置本体７側に突き出される。
【００４８】
次いで、ディスクトレイ５を装置本体７内に係合する係合機構２０について説明する。この係合機構２０は、図４〜図７に示すように、上記装置本体７に設けられディスクトレイ５と係合することにより該ディスクトレイ５を装置本体７内に係合保持する係合ピン１１と、ディスクトレイ５に設けられ係合ピン１１を係合する方向に回動付勢された係合片４２と、係合片４２と接触し、係合片４２の回動範囲を規制することにより係合片４２を係合ピン１１と係合させ又は係合ピン１１との係合を解除させる回動片４３と、回動片４３と係合すると共に鉄芯コイル４４内に挿通され、回動片４３を回動させるプランジャー４５と、係合ピン１１に押圧されることにより回動片４３と接触され、回動片４３を係合片４２が係合ピン１１に係合する方向に押圧する押圧片４６とを有する。
【００４９】
係合ピン１１は、図２に示すように、上述した下ハーフ９に設けられ、ガイドレール１２の開放端側近傍に突設されている。係合ピン１１は、ディスクトレイ５が装置本体７内に挿入されることにより、ディスクトレイ５側に形成された係合片４２と係合し、ディスクトレイ５を装置本体７内に保持するためのものである。具体的に、この係合ピン１１は、図８に示すように、装置本体７の下ハーフ９に穿設された開口部３１に挿通、支持されている。
【００５０】
この下ハーフ９に穿設された開口部３１は、ガイドレール１２が形成された側壁９ｃの開放端側近傍であって、後述する係合片４２との係合位置に対応した位置に形成されている。開口部３１は、例えば円形に形成されており、下ハーフ９の裏面側には内周面に沿って段差部３２が形成され係合ピン１１が係止される凹部３３が設けられている。凹部３３の略中央には係合ピン１１が挿通される開口３１ａが形成されている。
【００５１】
係合ピン１１は、下ハーフ９の裏面側から開口部３１に挿通されることにより、開口部３１の凹部３３に係止されるフランジ部３４と、このフランジ部３４が基端部に形成され開口３１ａに挿通されるピン本体３５と、ピン本体３５の上面部より突設されることにより下ハーフ９の表面上に突出され係合片４２に係合される係合凸部３６とからなる。ピン本体３５は、開口部３１の開口３１ａと略同一の径を有する円柱体からなる。また、ピン本体３５の基端部に形成されたフランジ部３４は、凹部３３に応じて円盤状に形成されている。ピン本体３５の上面部より突設されている係合凸部３６は、ピン本体３５よりも小径の円柱体からなる。
【００５２】
かかる係合ピン１１は、下ハーフ９の裏面側から開口部３１に挿通される。このとき、係合ピン１１は、フランジ部３４が凹部３３に係止され、ピン本体３５が開口３１ａを挿通し、係合凸部３６が下ハーフ９の表面上に突出される。なお、このときフランジ部３４は、開口部３１の段差部３２によって下ハーフ９の裏面と略面一とされる。
【００５３】
以上のような開口部３１及び係合ピン１１は、係合凸部３６が係合片４２に係合された状態で、記録再生装置１が落下した場合に係合片４２を介して伝わる衝撃に対して十分な耐性を持つ大きさで形成されている。すなわち、図８に示すように、開口部３１の凹部３３及び係合ピン１１のフランジ部３４の径を大きくすることにより、係合片４２を介して係合ピン１１に伝わるディスクトレイ５のスライド方向へフランジ部３４を拡径させ、落下衝撃への耐性を向上させるものである。
【００５４】
これは、記録再生装置１やこれを組み込んだノート型パソコン等を搬送する際、ディスクトレイ５は装置本体７内に収納され、装置本体７に設けられた係合ピン１１にディスクトレイ５に設けられた係合片４２が係合されていることが通常であるから、搬送中に記録再生装置１やノート型パソコンが落下する等の事故が起きた場合、係合片４２を介して係合ピン１１に落下衝撃が伝わる。このとき、後述するようにディスクトレイ５には光ピックアップユニット６が取り付けられていることから相当の重量を有し、係合ピン１１にはかかるディスクトレイ５の落下に伴う強い衝撃が伝わる。また、係合ピン１１に伝わる衝撃は、係合凸部３６と係合片４２の係合部４８との接点を介して、ディスクトレイ５のスライド方向に伝わる。
【００５５】
かかる落下衝撃は係合凸部３６からフランジ部３４へ伝わり、開口部３１の凹部３３と接合しているフランジ部３４を凹部３３から剥離させ、これにより係合ピン１１に傾きが生じる。したがって、係合ピン１１のフランジ部３４と開口部３１の凹部３３とが接する面積を、ディスクトレイ５のスライド方向へ広く設けることで、ディスクトレイ５に設けられた係合片４２から伝わる落下衝撃への耐性を向上させることができる。
【００５６】
ここで、記録再生装置１やこれを組み込んだノート型パソコンの小型化の要請等から、ディスクトレイ５における係合機構２０の配置場所にも制約が生じるため、係合ピン１１は下ハーフ９の側壁９ｃの近傍に設ける必要がある。したがって、下ハーフ９に穿設される開口部３１の凹部３３や係合ピン１１のフランジ部３４の径を大きくすることにも側壁９ｃとの距離との関係で一定の限界があった。すなわち、あまりに側壁９ｃに近接する位置まで開口部３１の凹部３３を設けてしまうと却って下ハーフ９の剛性を損ない、係合ピン１１を強固に保持することができなくなってしまう。一方、側壁９ｃと反対側には開口部３１や係合ピン１１を配置するのに障害となるようなものはなく、十分にスペースを確保することができる。
【００５７】
そこで、記録再生装置１では、落下衝撃への耐性を確保するのに十分な径を備える開口部３１を側壁９ｃと必要な距離を隔てた位置に設けるとともに、係合ピン１１の係合凸部３６を係合片４２に対応してピン本体３５に対して側壁９ｃ側に偏倚した位置に設けている。具体的に、開口部３１は、円形の凹部３３及び円形の開口３１ａを備え、係合ピン１１は、円柱状のピン本体３５の基端部に円盤状のフランジ部３６を設け、かつピン本体３５のフランジ部３４が形成された側と反対側の上面には、円柱状の係合凸部３６がピン本体３５の上面の中心から側壁９ｃ側に偏倚した位置に突設されている。開口部３１及び係合ピン１１は、凹部３３及びフランジ部３４のいずれもが、落下衝撃への耐性を確保するのに十分な接触面積を確保しうる径を備える。かかる係合ピン１１は、開口部３１に挿通されることにより、拡径されたフランジ部３４が、同じく拡径された開口部３１の凹部３３に係止され、ピン本体３５が開口３１ａを挿通し、係合凸部３６が側壁９ｃの近傍に突出される。これにより、記録再生装置１は、係合ピン１１と側壁９ｃとの距離を保ちつつ凹部３３及びフランジ部３４の径を広げて落下衝撃への耐性を向上させ、かつ配置上の制約を受ける係合片４２に対応した位置に係合凸部３６を突出させることができる。
【００５８】
また、係合ピン１１及び開口部３１は、フランジ部３４及び凹部３３を円形に形成する以外にも、図９に示すように、側壁９ｃ側が切り欠かれた略Ｄ字状に形成してもよい。図９に示す開口部３７は、記録再生装置１の落下衝撃への耐性を確保するのに十分なフランジ部４１との接触面積を有する略Ｄ字状の凹部３８を備える。なお、開口部３７は、凹部３８を円形とした場合の同心円状に係合ピン３９が挿通される開口３７ａが形成されている。
【００５９】
また図９に示す係合ピン３９は、円柱の側壁９ｃ側を切り欠いて略Ｄ字状としたピン本体の下端部に凹部３８と同様に側壁９ｃ側が切り欠かれた略Ｄ字状のフランジ部４１が形成されている。この係合ピン３９は、フランジ部４１が、該フランジ部４１を円形とした場合に、円柱とした場合のピン本体と同心円状となるように形成されている。また、フランジ部４１は、凹部３８に係止されると記録再生装置１の落下衝撃への耐性を確保するのに十分な面積を有する。またピン本体の上面には同心円状の係合凸部４０が形成されている。この係合凸部４０はピン本体よりも小径の円柱体からなり、平面から見るとピン本体に対して、切欠き面側に偏倚して立設されている。
【００６０】
かかる係合ピン３９は、開口部３７に挿通されると、フランジ部４１が凹部３８に係止され、ピン本体が開口３７ａを挿通し、係合凸部４０が側壁９ｃの近傍に突出される。かかる図９に示す係合ピン３９及び開口部３７によっても、記録再生装置１は、係合ピン３９と側壁９ｃとの距離を保ちつつ凹部３８及びフランジ部４１の径を広げて落下衝撃への耐性を向上させ、かつ配置上の制約を受ける係合片４２に対応した位置に係合凸部４０を突出させることができる。さらに、図９に示す構成では、凹部３８、フランジ部４１及び係合凸部４０とが同心円上に形成されているため、係合凸部４０に衝撃が伝わるディスクトレイ５のスライド方向に亘ってフランジ部４１と凹部３８とを広く形成することができ、より落下衝撃への耐性を向上することができる。
【００６１】
なお、係合ピン及び開口部は、凹部及びフランジ部を、図１０に示すように、側壁９ｃ及び側壁９ｃと反対側を切り欠くことにより略小判型に形成してもよい。図１０に示す構成によっても、係合凸部に衝撃が伝わるディスクトレイ５のスライド方向に亘ってフランジ部と凹部とを広く形成することができ、落下衝撃への耐性を向上することができる。
【００６２】
この係合ピン１１を係合する係合片４２は、図６に示すように、鉤状に形成され係合ピン１１を係合する係合部４８と、先端部に係合部４８が形成された胴体部４９と、胴体部４９の基端側に設けられ、係合片４２の回動支点となる支柱部５０と、後述する回動片４３と接触される当接部５１とを有する。この係合片４２は、支柱部５０を支点に図６中矢印Ｄ方向又は反矢印Ｄ方向に回動可能に形成されると共に、この支柱部５０に捻りコイルバネ５２が巻回されることにより、常時図６中矢印Ｄ方向に回動付勢されている。
【００６３】
係合片４２は、胴体部４９の先端側から係合ピン１１の進行方向に向かって矢印Ｄ方向に膨出する傾斜面４９ａが形成され、この傾斜面４９ａの膨出端に鉤状の係合部４８が形成されている。また、係合片４２は、支柱部５０を介して傾斜面４９ａと反対側に当接部５１が形成され、当接部５１が回動片４３に当接されることにより図６中矢印Ｄ方向への回動領域が規制されている。そして、係合部４８は、矢印Ｄ方向に回動されることにより、係合ピン１１を係合し、ディスクトレイ５を装置本体７内に保持し、反矢印Ｄ方向に回動されることにより係合ピン１１の係合を解除し、上述したコイルバネ２８及び押出し部材３０によってディスクトレイ５を装置本体７より排出可能とする。
【００６４】
この係合片４２の回動領域を規制する回動片４３は、係合片４２の当接部５１を押圧して回動領域を規制する規制突部５５と、回動片４３の回動支点となる支柱部５６と、押圧片４６と接触し押圧される接触部５７と、プランジャー４５と接続された接続部５８とを有する。
【００６５】
この回動片４３は、支柱部５６を支点に図６中矢印Ｅ方向又は反矢印Ｅ方向に回動可能に形成されると共に、この支柱部５６に捻りコイルバネ５９が巻回されることにより、常時図６中矢印Ｅ方向に回動付勢されている。
【００６６】
規制突部５５は、係合片４２が図６中矢印Ｄ方向に付勢されることにより当接部５１と常に当接され、矢印Ｅ方向又は反矢印Ｅ方向に回動されることにより当接部５１を介して係合片４２の回動領域を規制する。
【００６７】
接触部５７は、押圧片４６との当接箇所に膨出部６０が形成されている。膨出部６０は、押圧片４６に押圧されることにより、回動片４３を反矢印Ｅ方向に回動させる。
【００６８】
プランジャー４５が接続されている接続部５８は、一面側にプランジャー４５に形成された接続孔４５ａに挿通された突起部５８ａが形成されている。そして接続部５８は、回動片４３が押圧片４６によって反矢印Ｅ方向に回動されると、プランジャー４５を鉄芯コイル４４側に移動させる。そして、プランジャー４５が鉄芯コイル４４内に保持されると、回動片４３は反矢印Ｅ方向に保持される。
【００６９】
また、接触部５７と接続部５８との間にはスリット６１が形成され、押圧片４６に押圧される接触部５７を弾性変位可能としている。従って、回動片４３は、接触部５７に膨出部６０を設け確実に押圧片４６が回動片４３を回動させプランジャー４５を鉄芯コイル４４内に保持させるとともに、接触部５７が押圧片４６に過剰に押圧されたときにはスリット６１を設けることで接触部５７を撓ませて押圧力を吸収できるようにしている。
【００７０】
この回動片４３は、捻りコイルバネ５９により図６中矢印Ｅ方向に付勢されることにより、係合片４２の当接部５１と当接している規制突部５５が矢印Ｅ方向に回動され、係合片４２を反矢印Ｄ方向に回動させている。これにより係合片４２の係合部４８と装置本体７の下ハーフ９に立設された係合ピン１１との係合が解除され、ディスクトレイ５が装置本体７より排出される。
【００７１】
また、回動片４３は、ディスクトレイ５が装置本体７内に挿入されて接触部５７が後述する押圧片４６に押圧されて反矢印Ｅ方向に回動され、且つ接続部５７に接続されたプランジャー４５が鉄芯コイル４４内に保持されると、規制突部５５が反矢印Ｅ方向に回動され、係合片４２を図７に示す矢印Ｄ方向に回動させる。これにより係合片４２の係合部４８と係合ピン１１とが係合され、ディスクトレイ５が装置本体７内に保持される。
【００７２】
この回動片４３を反矢印Ｅ方向に保持するプランジャー４５は、略Ｕ字状の磁性体からなり、鉄芯コイル４４内に挿入される一対の挿入軸６３を有し、その基端部に接続孔４５ａが形成されている。プランジャー４５は、接続孔４５ａに回動片４３の接続部５８に設けられた突起部５８ａが挿通されることにより回動片４３と接続されている。
【００７３】
プランジャー４５の挿通軸６３が挿通される鉄芯コイル４４は、中空状の鉄芯６５にコイル６６が巻回されて形成され、その中空部に挿通軸６３が挿通されている。また、鉄芯コイル４４は、挿通軸６３の挿入端と反対側に挿通軸６３を図６中矢印Ｆ方向に磁気吸引する図示しないマグネットが内蔵されている。そして、鉄芯コイル４４は、回動片４３が反矢印Ｅ方向に回動されプランジャー４５の挿通軸６３が深く挿通されると、図７に示すように、マグネットによって挿通軸６３を鉄芯コイル４４に保持する。また、鉄芯コイル４４は、コイル６６に電流が供給されることにより、挿通軸６３を磁気吸引しているマグネットの磁力をキャンセルし、プランジャー４５をフリーな状態にする。プランジャー４５がフリーとなることにより、回動片４３は捻りコイルバネ５９の付勢力によって矢印Ｅ方向に回動可能となる。
【００７４】
回動片４３の接触部５７に当接され、回動片４３を押圧する押圧片４６は、装置本体７側に立設された係合ピン１１に押圧されるアーム部７０と、アーム部７０の基端部に設けられ、押圧片４６の回動支点となる支柱部７１と、回動片４３の接触部５７を押圧し回動片４３を回動させる押圧部７２とを有する。
【００７５】
この押圧片４６は、支柱部７１を支点に図６中矢印Ｇ方向又は反矢印Ｇ方向に回動可能に形成されると共に、この支柱部７１に捻りコイルバネ７３が巻回されることにより、図６に示す、係合ピン１１の移動軌跡上にアーム部７０が交差する位置に保持されている。即ち、押圧片４６は、アーム部７０が係合ピン１１に押圧されて矢印Ｇ方向に回動されて回動片４３を反矢印Ｅ方向に回動させた後や、回動片４３が矢印Ｅ方向に回動されたときに接触部５７が衝突して反矢印Ｇ方向に回動されたときにおいても、捻りコイルバネ７３により元の位置に戻される。
【００７６】
この押圧片４６の位置規制を図る捻りコイルバネ７３は、支柱部７１に巻回されると共に、一端が押圧片４６に係止され、他端をディスクトレイ５の裏面５ｃに形成された係止部材７５に係止されている。係止部材７５は、半円形の係止片７５ａ及び矩形の係止片７５ｂとが一定のクリアランスを隔てて形成されている。そして、捻りコイルバネ７３は、他端をクリアランスに通し、半円形の係止片７５ａ側に巻回されて掛けられている。このとき、捻りコイルバネ７３は、係止片７５ａが半円形に形成されているのに対して係止片７５ｂが矩形に形成されているため、係止片７５ｂ側に巻回することができず、必ず半円形の係止片７５ａに掛けられる。従って、捻りコイルバネ７３は、最適な付勢力を押圧片４６に与え、押圧片４６が係合ピン１１や回動片４３に押圧されて矢印Ｇ方向又は反矢印Ｇ方向に回動されたときにおいても、係合ピン１１の移動軌跡上にアーム部７０が交差する元の位置に戻される。
【００７７】
なお、アーム部７０が回動する領域の反矢印Ｇ方向側近傍には、アーム部７０の過剰な回動を止めるストッパー８０が形成されている。ストッパー８０は、例えば円柱状の突起がディスクトレイ５の裏面５ｃに突設されている。押圧片４６は、回動片４３が矢印Ｅ方向に回動されたときに接触部５７が衝突して反矢印Ｇ方向に回動されたときに、図６において点線で示すように、アーム部７０がストッパー８０に規制されて、反矢印Ｇ方向に過剰に回動することが防止されている。これにより、押圧片４６は、アーム部７０が係合ピン１１の移動軌跡上に戻らなくなることが防止されている。
【００７８】
すなわち、仮にアーム部７０が係合ピン１１の移動軌跡上に戻らなくなると、ディスクトレイ５の装置本体７内への挿入時に係合ピン１１がアーム部７０を回動させないため、押圧片４６は、回動片４３を矢印Ｅ方向に回動させることができず、係合片４２を係合ピン１１を係合する矢印Ｄ方向に回動させることができなくなる。このため、押圧片４６は、アーム部７０が必ず係合ピン１１の移動軌跡上に戻るようにストッパー８０が設けられることにより、アーム部７０の回動領域が規制されている。
【００７９】
以上のような係合ピン１１と、係合片４２と、回動片４３と、プランジャー４５と、押圧片４６とを有する係合機構２０は、ディスクトレイ５が装置本体７外へ排出された状態において、図６に示すように、回動片４３が矢印Ｅ方向に付勢されて、ディスクトレイ５に設けられたストッパー壁８１に係止されて矢印Ｅ方向への回動が規制されている。また、係合片４２は、回動片４３の規制突部５５によって当接部５１が反矢印Ｄ方向に回動され、係合部４８が係合ピン１１の移動軌跡上より退避された位置に保持されている。従って、係合ピン１１が立設された装置本体７の下ハーフ９とディスクトレイ５との係合は解除されており、ディスクトレイ５に設けられたコイルバネ２８の付勢力を受けた押出し部材３０が下ハーフ９の背面壁９ａを付勢して、ディスクトレイ５が装置本体７から排出されている。
【００８０】
ディスクトレイ５の収納凹部１５に光ディスク４が収納され、ユーザによってディスクトレイ５が装置本体７内に挿入されると、下ハーフ９に立設された係合ピン１１が図６中矢印Ｈ方向に進み、押圧片４６のアーム部７０と接触して、アーム部７０を図７中矢印Ｇ方向に回動させる。アーム部７０が回動することにより押圧片４６の押圧部７２が回動片４３の接触部５７を押圧して、回動片４３を図７中反矢印Ｅ方向に回動させる。回動片４３の接続部５８に接続されているプランジャー４５は、挿通軸６３が鉄芯コイル４４内に深く挿入されて、鉄芯コイル４４内に配設されたマグネットに磁気吸着される。
【００８１】
このとき、押圧片４６の押圧部７２と接触する接触部５７には膨出部６０が形成されているため、押圧片４６は、膨出部６０を押圧することにより確実に回動片４３を反矢印Ｅ方向に回動させ、プランジャー４５を鉄芯コイル４４に内蔵されたマグネットと吸着させることができる。また、回動片４３は、接触部５７と接続部５８との間にスリット６１が形成され、接触部５７が弾性変位可能とされているため、接触部５７が押圧片４６に過剰に押圧されたときにも接触部５７を撓ませて押圧力を吸収できる。
【００８２】
これによりプランジャー４５及び回動片４３は、捻りコイルバネ５９の図７中矢印Ｅ方向への付勢力に対抗して図７中反矢印Ｅ方向に回動され保持される。係合片４２は、回動片４３の規制突部５５が反矢印Ｅ方向に回動されることにより、矢印Ｄ方向へ回動領域が広がり、捻りコイルバネ５２の図７中矢印Ｄ方向への付勢力によって、図７に示すように、係合部４８が係合ピン１１の移動軌跡上に位置される。
【００８３】
さらにディスクトレイ５が装置本体７内に挿入されると、係合ピン１１は、係合片４２の胴体部４９の先端に設けられた傾斜面４９ａを反矢印Ｄ方向に回動させながら図７中矢印Ｈ方向に進み、係合部４８に係合される。これにより、ディスクトレイ５と装置本体７の下ハーフ９とが係合される。
【００８４】
このとき、押出し部材３０は、図５に示すように、下ハーフ９の背面壁９ａから押し戻されて、フランジ部３０ａによりコイルバネ２８を前面５ａ側に圧縮しながら前面５ａ側に移動する。コイルバネ２８は、前面５ａ側の端部がバネ収納部２９の収納壁２９ａに係止されているため、フランジ部３０ａに押圧されて圧縮することにより、フランジ部３０ａを背面５ｄ側に付勢する付勢力を保持している。即ち、ディスクトレイ５は、下ハーフ９を背面５ｄ側に付勢しながら下ハーフ９に突設されている係合ピン１１を係合片４２で係合することにより装置本体７内に保持されている。
【００８５】
ここで、記録再生装置１は、上述したように、開口部３１の凹部３３と係合ピン１１のフランジ部３４との接触面積を、落下衝撃への耐性を十分備える程度の径とし、また開口部３１を側壁９ｃと必要な距離を隔てた位置に設けるとともに、係合ピン１１の係合凸部３６を係合片４２に対応してピン本体３５に対して側壁９ｃ側に偏倚した位置に設けている。したがって、記録再生装置１は、係合ピン１１と側壁９ｃとの距離を保ちつつ凹部３３及びフランジ部３４の径を広げて落下衝撃への耐性を向上させ、かつ配置上の制約を受ける係合片４２に対応した位置に係合凸部３６を突出させることができる。
【００８６】
これにより、記録再生装置１は、ディスクトレイ５が装置本体７内に保持された状態で搬送される際に、落下事故などによる衝撃が加わった場合でも、係合ピン１１が傾く事態を防止することができる。
【００８７】
ディスクトレイ５を装置本体７より排出する際には、ディスクトレイ５の操作部から操作信号を受けた制御回路によって鉄芯コイル４４に電流が供給され、鉄芯コイル４４に内蔵されたマグネットの磁力がキャンセルされることによりプランジャー４５がフリーとなる。従って、回動片４３は、捻りコイルバネ５９の付勢力によって、図６中矢印Ｅ方向に回動される。係合片４２は、規制突部５５が矢印Ｅ方向に回動されることによって、反矢印Ｄ方向へ回動され、係合部４８が係合ピン１１の移動軌跡上から退避される。これにより、係合部４８から係合ピン１１が外れ、ディスクトレイ５と装置本体７の下ハーフ９との係合が解除される。
【００８８】
このとき、先端部を下ハーフ９の背面壁９ａに突き当てられている押出し部材３０は、コイルバネ２８の付勢力と同等の反力を背面壁９ａから受けて、フランジ部３０ａによりコイルバネ２８を前面５ａ側に押し戻す。コイルバネ２８は、前面５ａ側端部がコイル収納部２９の収納壁２９ａに係止されているため、この収納壁２９ａを前面５ａ側に押し出しながら伸長していく。これによりディスクトレイ５は装置本体７の開放端側に押し出され、前面５ａ側が装置本体７の開放端側に排出される。
【００８９】
なお、回動片４３が矢印Ｅ方向に回動されることにより、押圧片４６の押圧部７２が回動片４３の接触部５７と衝突して反矢印Ｇ方向に回動されたときにも、アーム部７０がストッパー８０に係止されるため、過剰にアーム部７０が過剰に回動して係合ピン１１の移動軌跡上に位置されなくなる事態は防止される。また、押圧片４６に巻回された捻りコイルバネ７３は、ディスクトレイ５の裏面５ｃに形成された係止部材７５によって係止位置が適正な位置に規制され、最適な付勢力を押圧片４６に与えている。従って、押圧片４６は、係合ピン１１や回動片４３に押圧されて矢印Ｇ方向又は反矢印Ｇ方向に回動されたときにおいても、図６において実線で示すように、係合ピン１１の移動軌跡上にアーム部７０が交差する元の位置に戻される。
【００９０】
なお、上述した回動片４３の接触部５７に形成された膨出部６０は、押圧片４６の押圧部７２側に形成してもよく、若しくは回動片４３及び押圧片４６の両方に形成してもよい。
【００９１】
次いで、このディスクトレイ５の裏面５ｃ側に設けられた収納部２１内に組み付けられる光ピックアップユニット６について説明する。
【００９２】
この光ピックアップユニット６は、図１１に示すように、ユニット本体を構成するベースシャーシ１０１と、ベースシャーシ１０１と一体的に形成され、光ディスク４が取り付けられるディスクテーブル１０２と、ディスクテーブル１０２に載置された光ディスク４に対して情報信号の記録又は再生を行う光ピックアップ装置１０３と、光ピックアップ装置１０３を光ディスク４の径方向に亘って移動させるピックアップ移動機構１０４と、光ピックアップ装置１０３のピックアップ移動機構１０４による移動をガイドする一対のガイド軸１０５，１０６と、ガイド軸１０５，１０６の傾きを調整することにより光ピックアップ装置１０３に設けられた対物レンズ１０８と光ディスク４の信号記録面との相対的な傾きを調整するスキュー調整機構１０９とを有する。
【００９３】
ベースシャーシ１０１は、鉄製のフレーム１１０を有し、フレーム１１０は、略矩形状に形成され、光ピックアップ装置１０３の対物レンズ１０８を光ディスク４の信号記録面側に臨ます開口部１１２が形成されている。開口部１１２は、略矩形状に形成され、長手方向に亘って光ピックアップ装置１０３を移動させるピックアップ移動機構１０４と、一対のガイド軸１０５，１０６と、ガイド軸１０５，１０６に支持された光ピックアップ装置１０３が配設されている。また、開口部１１２は、長手方向の一端側に略円弧状の切欠部１１３が形成され、光ディスク４が載置される円形のディスクテーブル１０２及びディスクテーブル１０２を回転駆動する図示しないスピンドルモータが配設されている。
【００９４】
フレーム１１０には、ディスクトレイ５の裏面５ｃに形成された収納部２１内に複数設けられた係合突起２５にベースシャーシ１０１を係合させる係合孔１１１が複数形成されている。フレーム１１０は、係合孔１１１が係合突起２５にそれぞれ係合することにより収納部２１内に収納される。
【００９５】
ディスクテーブル１０２に載置された光ディスク４に対して情報信号の記録又は再生を行う光ピックアップ装置１０３は、略矩形の筐体からなるピックアップベース１１４を備え、このピックアップベース１１４に、少なくとも、半導体レーザなどの図示しない光源と、この光源から照射した光ビームを光ディスク４の信号記録面に収束させて照射する対物レンズ１０８と、光ディスク４の記録面から反射の戻り光を検出する図示しない光検出器と、対物レンズ１０８を光ディスク４のフォーカシング方向及びトラッキング方向に駆動させる駆動系が配設されている。また光ピックアップ装置１０３は、ピックアップベース１１４の長手方向の一端側１１４ａに後述するガイド軸１０５が挿通される挿通孔１１６が形成され、他端部１１４ｂに後述するガイド軸１０６に係合する係合片１１７が形成されている。ピックアップベース１１４には、対物レンズ１０８の駆動系を制御する駆動回路等が形成されたフレキシブル配線基板１１９が取り付けられている。
【００９６】
また、光ピックアップ装置１０３は、ガイド軸１０５と隣接して設けられ、ピックアップベース１１４を移動させるピックアップ移動機構１０４のリードスクリュー１４０と係合する係合部材１２０が形成されている。
【００９７】
そして、光ピックアップ装置１０３は、ベースシャーシ１０１の開口部１１２の相対向する側縁部に配設された一対のガイド軸１０５，１０６に支持されることにより、光ディスク４の内外周に亘る移動をガイドされると共に対物レンズ１０８が開口部１１２より光ディスク４の信号記録面と対峙される。
【００９８】
この光ピックアップ装置１０３の移動をガイドする一対のガイド軸１０５，１０６は、ベースシャーシ１０１の開口部１１２に相対向して配設されている。ガイド軸１０５，１０６は、両端部が胴体部分よりも細く、例えば略１．２ｍｍに形成され、この両端部がスキュー調整機構１０９に支持され、このスキュー調整機構１０９によって上下方向の傾きが調整される。このガイド軸１０５，１０６は、導電性を有する材料によって形成され、同じく導電性を有する後述する調整ネジがアース接地されることによってガイド軸１０５，１０６に帯電した電化を除去することができる。
【００９９】
ガイド軸１０５と隣接して設けられ、光ピックアップ装置１０３を光ディスク４の径方向に亘って移動させるピックアップ移動機構１０４は、図１１に示すように、ガイド軸１０５に隣接してこのガイド軸１０５と平行に光ディスク４の径方向に亘ってベースシャーシ１０１に取り付けられているリードスクリュー１４０と、リードスクリュー１４０を回転駆動する送りモータ１４１とを有する。
【０１００】
リードスクリュー１４０は軸部にネジ溝が形成され、ピックアップベース１１４に設けられた係合部材１２０がこのネジ溝を摺動可能に係合されている。リードスクリュー１４０は、送りモータ１４１に回転駆動されることにより、係合部材１２０を介してピックアップベース１１４を光ディスク４の径方向に亘って移動させることができる。
【０１０１】
このリードスクリュー１４０を回転駆動する送りモータ１４１は、直流モータが用いられ、ステッピングモータとして構成されている。そして、送りモータ１４１は、矩形波によりステップ送りされることによってリードスクリュー１４０を回転駆動して、ピックアップベース１１４を光ディスク４の径方向に亘って移動させる。
【０１０２】
また、ベースシャーシ１０１は、図１１に示すように、駆動回路が形成されている配線基板１６１が接続されている。配線基板１６１は、いわゆるリジット基板であり、配線パターンが形成されると共に、装置本体７の下ハーフ９に配設された配線基板１７に取り付けられたＦＰＣ２３が接続されるコネクタ１６２等の各種電子部品が実装されている。
【０１０３】
以上のような光ピックアップユニット６は、図２及び図１２に示すように、ベースシャーシ１０１の上面側にカバー部材９０がビス止めされ、下面側に底板９１がディスクトレイ５にビス止めされることによってカバー部材９０及び底板９１に狭持される。
【０１０４】
カバー部材９０は、光ピックアップ装置１０３に形成された対物レンズ１０８及びディスクテーブル１０２を上方に臨ませる開口部１６６が形成されている。そしてカバー部材９０は、ベースシャーシ１０１の上面側にネジ止めされることにより、開口部１６６よりディスクテーブル１０２及びピックアップベース１１４の対物レンズ１０８を上方に臨ませる。
【０１０５】
また、底板９１は、アルミニウムの板状体を打ち抜き成形することにより形成されている。底板９１は、所定のビス孔が形成され、ディスクトレイ５の収納部２１内に収納されたベースシャーシ１０１の下面側より収納部２１にビス止めされることによりベースシャーシ１０１を狭持してディスクトレイ５に接続される。
【０１０６】
次に、以上のように構成された記録再生装置１におけるディスクトレイ５の開閉動作について説明する。
【０１０７】
記録再生装置１は、予め一対のガイド軸１０５，１０６の各両端部を支持しているスキュー調整機構１０９によってガイド軸１０５，１０６の傾きが調整され、対物レンズ１０８から照射される光ビームが垂直に光ディスクの信号記録面に入射するようにされている。
【０１０８】
そして、記録再生装置１は、光ディスク４をディスクトレイ５に載置するためにディスクトレイ５が装置本体７外へ排出される。このとき、装置本体７は、図６に示すように、回動片４３が矢印Ｅ方向に付勢されて、ディスクトレイ５に設けられたストッパー壁８１に当接されている。また、係合片４２は、回動片４３の規制突部５５によって当接部５１が反矢印Ｄ方向に回動され、係合部４８が係合ピン１１の移動軌跡上より退避された位置に保持されている。従って、係合ピン１１が立設された装置本体７の下ハーフ９とディスクトレイ５との係合は解除され、ディスクトレイ５に設けられたコイルバネ２８の付勢力を受けた押出し部材３０が下ハーフ９の背面壁９ａを付勢してディスクトレイ５が装置本体７から排出される。
【０１０９】
ディスクトレイ５の収納凹部１５に光ディスク４が載置され、ユーザによってディスクトレイ５が装置本体７内に挿入されると、下ハーフ９に立設された係合ピン１１が図６中矢印Ｈ方向に進み、押圧片４６のアーム部７０と接触して、アーム部７０を図７中矢印Ｇ方向に回動させる。アーム部７０が回動することにより押圧片４６の押圧部７２が回動片４３の接触部５７を押圧して、回動片４３を図７中反矢印Ｅ方向に回動させる。回動片４３の接続部５８に接続されているプランジャー４５は、挿通軸６３が鉄芯コイル４４内に深く挿入されて、鉄芯コイル４４内に配設されたマグネットに磁気吸着される。
【０１１０】
このとき、押圧片４６の押圧部７２と接触する接触部５７には膨出部６０が形成されているため、押圧片４６は、膨出部６０を押圧することにより確実に回動片４３を反矢印Ｅ方向に回動させ、プランジャー４５を鉄芯コイル４４に内蔵されたマグネットと吸着させることができる。また、回動片４３は、接触部５７と接続部５８との間にスリット６１が形成され、接触部５７が弾性変位可能とされているため、接触部５７が押圧片４６に過剰に押圧されたときにも接触部５７を撓ませて押圧力を吸収できる。
【０１１１】
これによりプランジャー４５及び回動片４３は、捻りコイルバネ５９の付勢力に対抗して図７中反矢印Ｅ方向に回動され保持される。係合片４２は、回動片４３の規制突部５５が反矢印Ｅ方向に回動されることにより、矢印Ｄ方向へ回動領域が広がり、図７に示すように、係合部４８が係合ピン１１の移動軌跡上に位置される。
【０１１２】
さらにディスクトレイ５が装置本体７内に挿入されると、係合ピン１１は、係合片４２の胴体部４９の先端に設けられた傾斜面４９ａを反矢印Ｄ方向に回動させながら図７中矢印Ｈ方向に進み、係合部４８に係合される。これにより、ディスクトレイ５と装置本体７の下ハーフ９とが係合される。
【０１１３】
このとき、押出し部材３０は、図５に示すように、下ハーフ９の背面壁９ａから押し戻されて、フランジ部３０ａによりコイルバネ２８を前面５ａ側に圧縮しながら前面５ａ側に移動する。コイルバネ２８は、前面５ａ側の端部がバネ収納部２９の収納壁２９ａに係止されているため、フランジ部３０ａに押圧されて圧縮することにより、フランジ部３０ａを背面５ｄ側に付勢する付勢力を保持している。即ち、ディスクトレイ５は、下ハーフ９を背面５ｄ側に付勢しながら下ハーフ９に突設されている係合ピン１１を係合片４２で係合することにより装置本体７内に保持されている。
【０１１４】
次に、光ディスク４のイジェクト操作がされたときの動作について説明する。記録再生装置１は、イジェクト釦が押されたことを検出すると、プランジャー４５を磁気吸引するマグネットの磁力をキャンセルさせるために鉄芯コイル４４に電力を供給してディスクトレイ５の係合機構２０と装置本体７の係合ピン１１との係合を解除する。すると、光ディスク４が装着されているディスクトレイ５は、コイルバネ２８の付勢力によって装置本体７外に排出される。
【０１１５】
具体的に、ディスクトレイ５を装置本体７より排出する際には、ディスクトレイ５の操作部から操作信号を受けた制御回路によって、鉄芯コイル４４に内蔵されたマグネットの磁力をキャンセルするような電流を供給するように制御される。従って、回動片４３は、捻りコイルバネ５９の付勢力によって、図６中矢印Ｅ方向に回動される。係合片４２は、規制突部５５が矢印Ｅ方向に回動されることによって、反矢印Ｄ方向へ回動され、係合部４８が係合ピン１１の移動軌跡上から退避される。これにより、係合部４８から係合ピン１１が外れ、ディスクトレイ５と装置本体７の下ハーフ９との係合が解除される。
【０１１６】
このとき、押出し部材３０は、コイルバネ２８の付勢力と同等の反力を背面壁９ａから受けて、フランジ部３０ａによりコイルバネ２８を前面５ａ側に押し戻す。コイルバネ２８は、前面５ａ側端部がコイル収納部２９の収納壁２９ａに係止されているため、この収納壁２９ａを前面５ａ側に押し出しながら伸長していく。これによりディスクトレイ５は装置本体７の開放端側に押し出され、前面５ａ側が装置本体７の開放端側に排出される。
【０１１７】
なお、回動片４３が矢印Ｅ方向に回動されることにより、押圧片４６の押圧部７２が回動片４３の接触部５７と衝突して反矢印Ｇ方向に回動されたときにも、アーム部７０がストッパー８０に係止されるため、過剰にアーム部７０が過剰に回動して係合ピン１１の移動軌跡上に位置されなくなる事態は防止される。また、押圧片４６に巻回された捻りコイルバネ７３は、ディスクトレイ５の裏面５ｃに形成された係止部材７５によって係止位置が適正な位置に規制され、最適な付勢力を押圧片４６に与えている。従って、押圧片４６は、係合ピン１１や回動片４３に押圧されて矢印Ｇ方向又は反矢印Ｇ方向に回動されたときにおいても、係合ピン１１の移動軌跡上にアーム部７０が交差する元の位置に戻される。
【０１１８】
ここで、光ディスク４をイジェクトするとき、振動によって収納されている光ディスク４ががたつくことがある。このがたつきに伴う光ディスク４の変位量は、外周側の方が大きい。そこで、記録再生装置１は、光ピックアップ装置１０３をがたつきに伴う変位量が小さい光ディスク４の内周側に位置させておくことで、光ディスク４と光ピックアップ装置１０３の対物レンズ１０８等が互いに接触し損傷しないようにしている。
【０１１９】
以上、本発明が適用された記録再生装置について説明したが、本発明は上述した構成の他に、例えば光ディスクとして、ＣＤ（ｃｏｍｐａｃｔ ｄｉｓｋ）、ＣＤ−ＲＯＭ、ＣＤ−Ｒ／ＲＷ、ＤＶＤ−ＲＯＭ、ＤＶＤ−ＲＡＭの記録及び／又は再生装置について適用してもよい。
【０１２０】
また、本発明が適用された記録再生装置が搭載されるホスト機器としては、ノート型パソコンやＰＤＡ（ｐｅｒｓｏｎａｌ ｄｉｇｉｔａｌ ａｓｓｉｓｔａｎｔ）等の携帯型記録再生装置、デスクトップ型パソコンやサーバ装置等の据置型記録再生装置又は車載用の記録再生装置等に適用してもよい。
【０１２１】
また、上述した本発明が適用された記録再生装置における各寸法は例示であり、他の寸法により本件発明を構成してもよい。
【図面の簡単な説明】
【０１２２】
【図１】本発明に係る記録及び／又は再生装置が搭載されたノート型パソコンを示す斜視図である。
【図２】本発明に係る記録及び／又は再生装置を示す分解斜視図である。
【図３】本発明に係る記録及び／又は再生装置を示す断面図である。
【図４】ディスクトレイの裏面を示す平面図である。
【図５】ディスクトレイの裏面を示す平面図である。
【図６】係合機構を示す平面図である。
【図７】係合機構を示す平面図である。
【図８】係合ピンを示す図であり、（Ａ）は断面図、（Ｂ）は平面図である。
【図９】他の係合ピンを示す図であり、（Ａ）は断面図、（Ｂ）は平面図である。
【図１０】係合ピンを示す図であり、（Ａ）は断面図、（Ｂ）は平面図である。
【図１１】光ピックアップユニットを示す平面図である。
【図１２】スライド自在に支持されたディスクトレイ及び装置本体を示す斜視図である。
【図１３】従来のドライブユニットを示す分解斜視図である。
【図１４】従来のディスクトレイを裏面側から示す平面図である。
【図１５】従来のディスクトレイを裏面側から示す平面図である。
【図１６】従来の係合機構を示す平面図である。
【図１７】従来の係合ピンを示す図であり、（Ａ）は断面図、（Ｂ）は平面図である。
【図１８】従来の係合ピンが傾いた様子を示す斜視図である。
【図１９】従来の係合ピンが傾いた様子を示す断面図である。
【符号の説明】
【０１２３】
１  記録再生装置、２  ホスト機器、４  光ディスク、５  ディスクトレイ、６  光ピックアップユニット、７  装置本体、９  下ハーフ、１１  係合凸部、１２  ガイドレール、１５  収納凹部、１６  開口部、１７  配線基板、１８  保持機構、１９  付勢機構、２０  係合機構、２１  収納部、２２  ガイド突条、２３  ＦＰＣ、２８  コイルバネ、２９  バネ収納部、３０  押出し部材、３１  開口部、４１  係合片、４２  回動片、４４  鉄芯コイル、４５  プランジャー、４６  押圧片、４８  係合部、４９  胴体部、５１  当接部、５２  捻りコイルバネ、５５  規制突部、５７  接触部、５８  接続部、６０  膨出部、６１  スリット、６５  鉄芯、６６  コイル、７０  アーム部、７２  押圧部、７５  係止部材、８０  ストッパー、９０  カバー部材、９１  底板、１０１  ベースシャーシ、１０２  ディスクテーブル、１０３  光ピックアップ装置、１０４  ピックアップ移動機構、１０５，１０６  ガイド軸、１０８  対物レンズ、１０９  スキュー調整機構、１１０  フレーム、１１４  ピックアップベース、１２０  係合部材、１４０  リードスクリュー、１４１  送りモータ、１６１  配線基板、１６２  コネクタ、１６６  開口部
【図１】
2007188581.tif 000003
【図２】
2007188581.tif 000004
【図３】
2007188581.tif 000005
【図４】
2007188581.tif 000006
【図５】
2007188581.tif 000007
【図６】
2007188581.tif 000008
【図７】
2007188581.tif 000009
【図８】
2007188581.tif 000010
【図９】
2007188581.tif 000011
【図１０】
2007188581.tif 000012
【図１１】
2007188581.tif 000013
【図１２】
2007188581.tif 000014
【図１３】
2007188581.tif 000015
【図１４】
2007188581.tif 000016
【図１５】
2007188581.tif 000017
【図１６】
2007188581.tif 000018
【図１７】
2007188581.tif 000019
【図１８】
2007188581.tif 000020
【図１９】
2007188581.tif 000021